(57)【要約】下肢の静脈および（または）リンパ管の機能不全を治療あるいは防止するための装置（１）であって、下肢の静脈および（または）リンパ管の機能不全のための一対の弾圧縮性タイツ（２）と、静脈およびリンパ管の循環を刺激するための複数の弾性膨らみ（３−９）であって、生ゴムからつくられた分離した粒体で充填され、前記タイツ（２）と一体とされ、前記タイツ（２）自体が履かれたとき足裏と接触する該タイツの部分（２０）に配置されている複数の弾性膨らみ（３−９）とを含む装置（１）である。
2008513088.tif 000002
【特許請求の範囲】
【請求項１】
下肢の静脈および（または）リンパ管の機能不全を治療あるいは防止するための装置（１）において、
―  下肢の静脈および（または）リンパ管の機能不全のための弾圧縮性ソックス（２）と、
―  静脈およびリンパ管の循環を刺激する弾性膨らみ（３−９）であって、前記ソックス（２）に固定され、前記ソックス（２）自体が履かれたとき足裏と接触するようになる部分（２０）に配置された少なくとも１個の弾性膨らみ（３−９）とを含むことを特徴とする装置（１）。
【請求項２】
前記弾圧縮性ソックス（２）が一足のタイツであることを特徴とする請求項１に記載の装置（１）。
【請求項３】
前記弾圧縮性ソックス（２）がショートソックスであることを特徴とする請求項１に記載の装置（１）。
【請求項４】
前記弾圧縮性ソックス（２）がシャンクソックスであることを特徴とする請求項１に記載の装置（１）。
【請求項５】
前記弾圧縮性ソックス（２）が女性用ストッキングであることを特徴とする請求項１に記載の装置（１）。
【請求項６】
静脈およびリンパ管の循環を刺激するための複数の弾性の膨らみ（３−９）であって、前記ソックス（２）に固定され、前記ソックス（２）自体が履かれたとき足裏と接触するようになる部分（２０）において配置されている弾性の膨らみ（３−９）を含むことを特徴とする請求項１から５までのいずれか１項に記載の装置（１）。
【請求項７】
前記膨らみ（３−９）が足裏の選定された反射発生領域に配置されていることを特徴とする請求項１から６までのいずれか１項に記載の装置（１）。
【請求項８】
前記足裏の反射発生領域が、大足指の内転筋、大足指の短屈筋、第五足指の短屈筋、第五足指の内転筋、回外筋楔、回内筋楔、および大足指の内転筋からなる群において選定されることを特徴とする請求項１から７までのいずれか１項に記載の装置（１）。
【請求項９】
前記膨らみ（３−９）が足裏のレジャン（Ｌｅｊａｎ′ｓ）静脈足裏に配置されていることを特徴とする請求項１から８までのいずれか１項に記載の装置（１）。
【請求項１０】
前記膨らみ（３−９）が、足指の集合静脈結合部、中間足裏静脈叢の解剖学的座および足の側縁部における踵骨領域からなる群から選定された領域に配置されていることを特徴とする請求項１から９までのいずれか１項に記載の装置（１）。
【請求項１１】
前記膨らみ（３−９）が足裏と接触するようになる下層（３０）と上層（３１）とを有し、前記層の間に充填材料（１０）が介装されているか、あるいは介装することができることを特徴とする請求項１から１０までのいずれか１項に記載の装置（１）。
【請求項１２】
前記下層（３０）がゴム製であることを特徴とする請求項１から１１までのいずれか１項に記載の装置（１）。
【請求項１３】
前記上層（３１）がアルカンタラ（ａｌｃａｎｔａｒａ）からつくられていることを特徴とする請求項１１または１２に記載の装置（１）。
【請求項１４】
前記充填材料が弾性の分離した粒体（１０）によって形成されていることを特徴とする請求項１１から１３までのいずれか１項に記載の装置（１）。
【請求項１５】
前記粒体（１０）が概ね丸い形状を有していることを特徴とする請求項１から１４までのいずれか１項に記載の装置（１）。
【請求項１６】
前記粒体（１０）が生ゴムからつくられた粒体からなることを特徴とする請求項１４または１５に記載の装置（１）。
【請求項１７】
前記粒体（１０）がシリコン粒からなることを特徴とする請求項１４から１６までのいずれか１項に記載の装置（１）。
【請求項１８】
前記ソックス（２）が前記膨らみ（３−９）を有する足裏敷きを組み込んでいることを特徴とする請求項１から１７までのいずれか１項に記載の装置（１）。
【請求項１９】
前記ソックス（２）が約１５から２５デニールの間に入る厚さを有していることを特徴とする請求項１から１８までのいずれか１項に記載の装置（１）。
【請求項２０】
前記ソックス（２）が約３０から５０デニールの間に入る厚さを有していることを特徴とする請求項１から１８までのいずれか１項に記載の装置（１）。
【請求項２１】
前記ソックス（２）が約５０から７０デニールの間に入る厚さを有していることを特徴とする請求項１から１８までのいずれか１項に記載の装置（１）。
【発明の詳細な説明】
【技術分野】
【０００１】
本発明は下肢の静脈および（または）リンパ管の機能不全を治療あるいは防止するための装置に関するものである。
【背景技術】
【０００２】
当該技術分野の専門家には周知のように、人間は足裏においてレジャンの静脈足裏（Ｌｅｊａｎ′ｓ  ｖｅｎｏｕｓ  ｓｏｌｅ  ）と称される構造を有している。これは基礎物質であるコンドロイチン硫酸とジャルロニック（ｊａｌｕｒｏｎｉｃ）酸富有の弛緩脂肪質組織において含まれた毛細血管がからまり合ったものであって、これらの毛細血管は歩行の止まっている間押しつぶされ、血液で充たされたスポンジの如くに単純な機械的な押しつぶし作用によって絞り出され、心臓に向かって上昇する向心性の押上げ力を血液に対して加える。
【０００３】
前述した静脈の戻り、およびまたリンパ管の戻りの欠陥の可能性を矯正あるいは防止するために、靴の内部に挿入可能であり、反射発生性（ｒｅｆｌｅｘｏｇｅｎｉｃ）のために足裏の選定した部分を刺激することを目的とした種々タイプの足底敷き（ｐｌａｎｔａｒｓ）が知られている。
【０００４】
しかしながら、既知の足底敷きは滑りやすく、特に女性のストッキングあるいはショートソックスと一緒に履いた場合、足裏に対して動く嫌いがある。このことによって足に対する足底敷き自体の正しくない位置決めを行い、その結果その効果を低下させる。
【０００５】
また、前述の欠点のため、足底敷きによって得られうる治療結果は特に、人の下肢に対して悪影響を及ぼしうる各種の血管およびリンパ管の病理に関して極めて限定的なものとなる可能性がある。
【０００６】
そのような血管および（または）リンパ管の病理を治療および防止するべく、静脈およびリンパ管の戻りを促進するための構造を有する所謂弾圧縮性のソックスが使用されることが多い。しかしながら、そのようなソックスによって得られうる結果も治療可能な病理に関する限り限定的であり、かつ不完全であることが多い。
【発明の開示】
【発明が解決しようとする課題】
【０００７】
従って、本発明によって設定され、かつ解決される技術的課題は既知の技術に関して前述した欠点を排除できる、下肢における静脈および（または）リンパ管の機能不全を防止あるいは治療するための装置を提供することである。
【課題を解決するための手段】
【０００８】
そのような課題は特許請求の範囲の請求項１に記載の装置によって解決される。
【０００９】
本発明の好適な特徴は特許請求の範囲の従属項に含まれている。
【００１０】
本説明において、「ソックス」という用語は、足の一部分あるいは全体を、ある場合には人の下肢の一部分あるいは全体を被覆するようにされた一片の衣類、特にストッキング、タイツ、および男性用短靴下、シャンクソックス（レッグウオーマ）などを含む最広義に解されるべきである。
【００１１】
本発明はある重要な利点を提供する。主要な利点は弾圧縮性のソックスの構造とその中に組み込まれた膨らみとの間の相乗効果によって、人の治療に大いに役立ち、かつより効果的な方法で血管および（または）リンパ管の病理を防止あるいは治療できるようにする組み合わされた治療結果を得ることができるようにすることにある。更に、足に対するそれらの正しい位置に対して前記の膨らみが動きうるという危険性が排除される。
【００１２】
本発明のその他の利点、特徴および適用については、限定的な目的ではなく、例として示された本発明の若干の実施例についての以下の詳細説明から明らかとなる。添付図面にある図を以下参照する。
【００１３】
図１を参照すれば、本発明の一実施例による下肢の静脈および（または）リンパ管の機能不全を防止あるいは治療する装置が全体的に１で指示されている。
【００１４】
前記装置１は下肢の静脈およびリンパ管の戻りを促進するように既知の方法に従って構成された構造を有する弾圧縮性ソックス２を含む。この例においては、ソックス２は一足のタイツである。前記タイツ２はそれを履いている人の下肢および脚を全体的に覆っている。
【００１５】
図２からよく判るように、それぞれ３，４，５，６，７，８および９で指示する数個の弾性の膨らみが人の足裏に付着しようとするよう前記ソックス２の部分２０に配置され、かつ前記部分に固定されて該ソックス２に組み込まれている。前記の膨らみは下肢の静脈および（または）リンパ管の循環、特に静脈および（または）リンパ管の戻りを刺激しようとする。
【００１６】
前記膨らみ３−９は図に実際に示すように足裏の反射発生部分に配置されている。
【００１７】
当該技術分野の専門家には既知のように、足底敷きによる足裏反射治療法は足底敷きの足の土踏まず部を支持するために所謂内在筋肉の着点に概ね対応する足裏の所定箇所を刺激することからなり、それによって治療目的で人体の一般的な生理機能、特に静脈およびリンパ管の戻りに影響を与えることができる。
【００１８】
一般に、膨らみ３−９は血管および（または）リンパ管障害を矯正するために固有受容性、エステロ受容性（ｅｓｔｅｒｏｃｅｐｔｉｖｅ）、圧受容性および（または）反射発生性刺激を果たそうとする性向があり、この目的に対して、それらはエステロ受容体（ｅｓｔｅｒｏｃｅｐｔｏｒｓ）、固有受容体、圧受容体および（または）足裏のその他いずれかの反射発生箇所に配置される。表面、関節、および深在タイプのそのような固有受容体、エステロ受容体、圧受容体および反射発生箇所は概ね足裏の筋肉の着点において位置される。
【００１９】
特に、図に概略示されているように、第一の膨らみは足指の大指の回転筋に、第二の膨らみは大指の短い屈筋に、第三の膨らみは第五足指の短い屈筋に、第四の膨らみは第五足指の内転筋に、第五の膨らみは回外筋の楔に、第六の膨らみは回内筋の楔に、そして第七の膨らみは大指の内転筋に配置させることができる。
【００２０】
実施例の変形では、前述した７個の固有受容性箇所と関連して、あるいは関連せずに、足裏のエステロ受容性、圧受容性、および反射発生刺激のその他いずれかの箇所に対応する位置に配置した膨らみを提供することができることは勿論である。
【００２１】
特に別の好適実施例が図４に示されている。前記の図から判るように、前記膨らみは所謂レジャン（Ｌｅｊａｎ′ｓ）静脈足裏に属する足裏の領域に丁度配置されており、詳しくは丸い形状が好ましい第一の膨らみ１１が足指の集合静脈の接合部に配置され、第二の膨らみ１２が足の内側縁に沿って延在し、かつ内側の足底敷きの静脈叢の解剖学的座に配置されており、第三の膨らみ１３は静脈およびリンパ管の流れを内側静脈叢に向かって運ぶよう踵骨の領域上に、かつ足の側縁部において位置される。
【００２２】
図３Ａに示されているように、ここまで説明してきた実施例において、各膨らみ、例えば３で指示するものは、各々同等の形状および寸法であって、気胞を提供するために重ねられ、かつ結合されている第一の下層３０と第二の上層３１を含む。
【００２３】
第一の、約１ミリメートルの厚さの層３０は非中毒性で、概ね非アレルギ性のゴム材料であって、適度の長寿命性を有する材料からつくられている。ゴム材料としては、天然のもの、特にパラゴムすなわち生ゴムである材料が好ましい。当該技術分野の専門家には、同等の機械的特性を備えたいずれかのその他の非アレルギ性材料を利用しうることが認められうることは勿論である。特に、合成ゴム、例えばシリコンゴムが使用されうる。
【００２４】
これも薄い第二の層は手触りが柔らかで、足底との接触に適しており、特に手触りに対してセーム革あるいはビロードタイプの材料からつくられている。天然ものの織物、特にアルカンタラ（ａｌｃａｎｔａｒａ）が好ましい。変形実施例では足の水分蒸発および十分な接触快適さを保証するのに適した材料の織物あるいは巻き上げシートを使用できるようにする。
【００２５】
第一の層３０と第二の層３１とは、例えば膨らみの周囲において間に糊付けされて固定される。
【００２６】
気胞の周囲は該気胞自体をソックス２に固定するためにも使用することができるそれぞれの直線縫い目によって強化することができる。
【００２７】
本実施例において、各膨らみ３−９は更に、概ね非アレルギ性のゴム材料からつくられることが好ましい弾性の分離した粒体１０を充填する。刺激をより良好にするためには、そのような粒体１０は概ね不規則な形状で、かつ面および縁部を有することが好ましい。
【００２８】
前記粒体１０は、前記第一の層３０を構成するために使用されたパラゴムあるいは生ゴムのシートを小さい立方体に適度に切断することによって製造することができ、各々断面寸法が約１ミリメートルである。代替的に、不規則な形状で、厚さが約２ミリメートルである１粒のシリコン粒との１ミリメートル厚さの天然生ゴムの複合物、あるいはシリコン粒のみのものでさえも提供しうる。
【００２９】
当該技術分野の専門家は、交番的に、あるいは前記の分離した粒体１０と共に、気胞には結果的に扱い易く、そして気胞中へ挿入するのが簡単である例えばゲルのような材料のようないずれかの他のタイプの弾性材料を充填できることを理解する。
【００３０】
結果できた各膨らみ３−９の厚さは約３ミリメートルであることが好ましい。
【００３１】
各気胞はカニューレあるいは類似の装置によって充填できるように閉鎖しておくことができる開口を有しうる。
【００３２】
このように、前記膨らみ３−９は足裏に対して前述のように刺激を与えようとする全体的な弾性構造を有することが理解される。
【００３３】
特に、各膨らみの形状、厚み、および弾性は足裏の一般的な自己受容体、エステロ受容体、圧受容体および反射発生箇所に対して正確な反射療法ストレスを得るために選定することができる。特に、膨らみ３−９のそのようなパラメータは当該装置１を履く必要のある患者に関わる治療方向に基づいて選定される。更に、本発明による本装置１は各種のサイズで製造することが可能である。前記気胞は医療処方に基づいて、適当量の弾性粒体１０が充填されるまでは空のままとしうる。
【００３４】
同様に、ソックス２の圧縮強度さえも当該患者の特定の要件に合わせることもできる。この後者の局面に関しては、予防手段としての補助具では約１５から２５デニール（ｄｅｎ）の弾圧縮性ソックス、刺激性の弱い治療補助具では約３０から５０デニールの弾圧縮性ソックス、そして更に重症の静脈機能不全に対する治療補助具では約５０から７０デニールの弾圧縮性ソックスを提供することができる。
【００３５】
人の下肢に対して加えられる加圧器の作用に関しては、予防手段としての補助具には約２００ｍｍＨｇの軽めの圧縮を加えようとする弾圧縮性ソックスを、刺激性の弱い治療に対する補助具には約３０ｍｍＨｇに等しい中庸な圧縮を加えようとする弾圧縮性ソックスを、より重症の静脈機能不全のための治療補助具には約４０−５０ｍｍＨｇに等しい強力な圧縮を加えようとする弾圧縮性ソックスを具備させることができる。
【００３６】
このように構成された膨らみは患者に対して最適な反射療法のための刺激を提供することができることが認められる。特に、それらは歩行停止の間足の中間領域に対してより大きな厚み、従ってより強力な圧力を加えようとする。そのような刺激は長期間あるいは一生不変に保つことができる。
【００３７】
従って、当該技術分野の専門家は静脈の肥大および足裏静脈の押しつぶし（ｓｑｕａｓｈｉｎｇ）の少なさによる脚での血液およびリンパ液の循環速度の低減による静脈およびリンパ管の機能不全が存在するときに、本発明による装置は顕著な利益をもたらし、これは静脈の壁の肥大を制御しようとするソックス自体の断続した弾性と共にソックスに位置した弾性膨らみによって生じる機械的な押しつぶしが増大することによることを認識する。
【００３８】
更に、本装置１は特に磨耗することはなく、常に履き心地がよい。更に、洗濯が可能であり、使用することも保守することも容易である。
【００３９】
それが作られている材質は足裏の非アレルギ性および非有毒性を保証する。
【００４０】
本装置はこれまで説明したものに対する代案として数種の実施例も可能であることは勿論である。例えば、膨らみを単に１個とすることが可能である。更に、膨らみはソックスの織物の連続した延長部分として直接つくることができ、その場合前述した二重層構造を有する代わりに充填材を受け入れるために局所的により厚くすることができる。更に、ソックスは前記の膨らみを有する実際の足底敷きを組み込むことができる。
【００４１】
図２はソックスがシャンクソックス（ｓｈａｎｋ  ｓｏｃｋ）あるいは男性用の短靴下である、本発明の別の実施例を示す。
【００４２】
好適実施例を参照しながら本発明をここまで説明してきた。本発明と同じ発明概念に属するその他の実施例も存在しうるが、それらは全て特許請求の範囲に記載の保護範囲内に含まれることが意図されている。
【図面の簡単な説明】
【００４３】
【図１】人が履いたときの本発明による装置の第一の実施例の斜視図を示す。
【図２】人が履いたときの本発明による装置の第二の実施例の斜視図を示す。
【図３】図１または図２に示す装置の部分的な上面図を示す。
【図３Ａ】図３の線Ａ−Ａに沿って見た前記装置の断面図を示す。
【図４】本発明による装置の別の実施例の部分的な上面図を示す。
【図１】
2008513088.tif 000003
【図２】
2008513088.tif 000004
【図３】
2008513088.tif 000005
【図３Ａ】
2008513088.tif 000006
【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
下肢の静脈および（または）リンパ管の機能不全を治療あるいは防止するために歩行停止の間履くようにされる装置（１）において、
―  下肢の静脈および（または）リンパ管の機能不全のための弾圧縮性ソックス（２）を含み、
更に、前記装置が
―  静脈およびリンパ管の循環を刺激しようとする弾性の膨らみ（３−９）であって、該膨らみ（３−９）が前記ソックス（２）に固定され、前記ソックス（２）自体が足裏自体の選定された反射発生領域において履かれたとき足裏と接触するようになる部分（２０）に配置された少なくとも１個の弾性の膨らみ（３−９）を含むことを特徴とする装置（１）。
【請求項２】
前記弾圧縮性ソックス（２）が一足のタイツであることを特徴とする請求項１に記載の装置（１）。
【請求項３】
前記弾圧縮性ソックス（２）がショートソックスであることを特徴とする請求項１に記載の装置（１）。
【請求項４】
前記弾圧縮性ソックス（２）がシャンクソックスであることを特徴とする請求項１に記載の装置（１）。
【請求項５】
前記弾圧縮性ソックス（２）が女性用ストッキングであることを特徴とする請求項１に記載の装置（１）。
【請求項６】
前記足裏の反射発生領域が、大足指の内転筋、大足指の短屈筋、第五足指の短屈筋、第五足指の内転筋、回外筋楔、回内筋楔、および大足指の内転筋からなる群において選定されることを特徴とする請求項１から５までのいずれか１項に記載の装置（１）。
【請求項７】
前記膨らみ（１１−１３）が足裏のレジャン（Ｌｅｊａｎ′ｓ）静脈足裏に配置されていることを特徴とする請求項１から６までのいずれか１項に記載の装置（１）。
【請求項８】
前記膨らみ（１１−１３）が、足指の集合静脈の結合部、中間足裏静脈叢の解剖学的座および足の側縁部における踵骨領域からなる群から選定された領域に配置されていることを特徴とする請求項１から７までのいずれか１項に記載の装置（１）。
【請求項９】
前記膨らみ（３−９）が足裏と接触するようになる下層（３０）と上層（３１）とを有し、前記層の間に充填材料（１０）が介装されているか、あるいは介装することができることを特徴とする請求項１から８までのいずれか１項に記載の装置（１）。
【請求項１０】
前記の下層（３０）がゴム製であることを特徴とする請求項１から９までのいずれか１項に記載の装置（１）。
【請求項１１】
前記上層（３１）がアルカンタラ（ａｌｃａｎｔａｒａ）からつくられていることを特徴とする請求項９または１０に記載の装置（１）。
【請求項１２】
前記充填材料が弾性の分離した粒体（１０）によって形成されていることを特徴とする請求項９から１１までのいずれか１項に記載の装置（１）。
【請求項１３】
前記粒体（１０）が概ね丸い形状を有していることを特徴とする請求項１から１２までのいずれか１項に記載の装置（１）。
【請求項１４】
前記粒体（１０）が生ゴムからつくられた粒体からなることを特徴とする請求項１１または１３に記載の装置（１）。
【請求項１５】
前記粒体（１０）がシリコン粒からなることを特徴とする請求項１１から１４までのいずれか１項に記載の装置（１）。
【請求項１６】
前記ソックス（２）が前記膨らみ（３−９）を有する足底敷きを組み込んでいることを特徴とする請求項１から１５までのいずれか１項に記載の装置（１）。
【請求項１７】
前記ソックス（２）が約１５から２５デニールの間に入る厚さを有していることを特徴とする請求項１から１６までのいずれか１項に記載の装置（１）。
【請求項１８】
前記ソックス（２）が約３０から５０デニールの間に入る厚さを有していることを特徴とする請求項１から１６までのいずれか１項に記載の装置（１）。
【請求項１９】
前記ソックス（２）が約５０から７０デニールの間に入る厚さを有していることを特徴とする請求項１から１６までのいずれか１項に記載の装置（１）。
【手続補正２】
【補正対象書類名】明細書
【補正対象項目名】全文
【補正方法】変更
【補正の内容】
【発明の詳細な説明】
【技術分野】
【０００１】
本発明は下肢の静脈および（または）リンパ管の機能不全を治療あるいは防止するための装置に関するものである。
【背景技術】
【０００２】
当該技術分野の専門家には周知のように、人間は足裏においてレジャンの静脈足裏（Ｌｅｊａｎ′ｓ  ｖｅｎｏｕｓ  ｓｏｌｅ  ）と称される構造を有している。これは基礎物質であるコンドロイチン硫酸とジャルロニック（ｊａｌｕｒｏｎｉｃ）酸富有の弛緩脂肪質組織において含まれた毛細血管がからまり合ったものであって、これらの毛細血管は歩行の止まっている間押しつぶされ、血液で充たされたスポンジの如くに単純な機械的な押しつぶし作用によって絞り出され、心臓に向かって上昇する向心性の押上げ力を血液に対して加える。
【０００３】
前述した静脈の戻り、およびまたリンパ管の戻りの欠陥の可能性を矯正あるいは防止するために、靴の内部に挿入可能であり、反射発生（ｒｅｆｌｅｘｏｇｅｎｉｃ）のために足裏の選定した部分を刺激することを目的とした種々タイプの足底敷き（ｐｌａｎｔａｒｓ）が知られている。
【０００４】
しかしながら、既知の足底敷きは滑りやすく、特に女性のストッキングあるいはショートソックスと一緒に履いた場合、足裏に対して動く嫌いがある。このことによって足に対する足底敷き自体の正しくない位置決めを行い、その結果その効果を低下させる。
【０００５】
また、前述の欠点のため、足底敷きによって得られうる治療結果は特に、人の下肢に対して悪影響を及ぼしうる各種の血管およびリンパ管の病理に関して極めて限定的なものとなる可能性がある。
【０００６】
足底敷きとは異なる装置が米国特許第６，５５１，２８０号に記載されており、該特許においては空気／真空源と連通している区画室を有する装置によって間欠的な圧力が足底敷きに加えられる。
【０００７】
そのような血管および（または）リンパ管の病理を治療および防止するべく、静脈およびリンパ管の戻りを促進するための構造を有する所謂弾圧縮性のソックスが使用されることが多い。しかしながら、そのようなソックスによって得られうる結果も治療可能な病理に関する限り限定的であり、かつ不完全であることが多い。
【０００８】
この点に関して、米国特許第４，８１１，７２７号は踝の後方窩に詰める２個のパッドと局所的な支持のための踵片（ヒールピース）をまた組み込んでいる保持用の支持ストッキングを開示している。
【発明の開示】
【発明が解決しようとする課題】
【０００９】
従って、本発明によって設定され、かつ解決される技術的課題は既知の技術に関して前述した欠点を排除できる、下肢における静脈および（または）リンパ管の機能不全を防止あるいは治療するための装置を提供することである。
【課題を解決するための手段】
【００１０】
そのような課題は特許請求の範囲の請求項１に記載の装置によって解決される。
【００１１】
本発明の好適な特徴は特許請求の範囲の従属項に含まれている。
【００１２】
本説明において、「ソックス」という用語は、足の一部分あるいは全体を、ある場合には人の下肢の一部分あるいは全体を被覆するようにされた一片の衣類、特にストッキング、タイツ、および男性用短靴下、シャンクソックス（レッグウオーマ）などを含む最広義に解されるべきである。
【００１３】
本発明はある重要な利点を提供する。主要な利点は弾圧縮性のソックスの構造とその中に組み込まれた膨らみとの間の相乗効果によって、人の治療に大いに役立ち、かつより効果的な方法で血管および（または）リンパ管の病理を防止あるいは治療できるようにする組み合わされた治療結果を得ることができるようにすることにある。更に、足に対するそれらの正しい位置に対して前記の膨らみが動きうるという危険性が排除される。
【００１４】
本発明のその他の利点、特徴および適用については、限定的な目的ではなく、例として示された本発明の若干の実施例についての以下の詳細説明から明らかとなる。添付図面にある図を以下参照する。
【００１５】
図１を参照すれば、本発明の一実施例による下肢の静脈および（または）リンパ管の機能不全を防止あるいは治療する装置が全体的に１で指示されている。
【００１６】
前記装置１は下肢の静脈およびリンパ管の戻りを促進するように既知の方法に従って構成された構造を有する弾圧縮性ソックス２を含む。この例においては、ソックス２は一足のタイツである。前記タイツ２はそれを履いている人の下肢および脚を全体的に覆っている。
【００１７】
図２からよく判るように、それぞれ３，４，５，６，７，８および９で指示する数個の弾性の膨らみが人の足裏に付着しようとするよう前記ソックス２の部分２０に配置され、かつ前記部分に固定されて該ソックス２に組み込まれている。前記の膨らみは下肢の静脈および（または）リンパ管の循環、特に静脈および（または）リンパ管の戻りを刺激しようとする。
【００１８】
前記膨らみ３−９は図に実際に示すように足裏の反射発生部分に配置されている。
【００１９】
当該技術分野の専門家には既知のように、足底敷きによる足裏反射治療法は足底敷きの足の土踏まず部を支持するために所謂内在筋肉の着点に概ね対応する足裏の所定箇所を刺激することからなり、それによって治療目的で人体の一般的な生理機能、特に静脈およびリンパ管の戻りに影響を与えることができる。
【００２０】
一般に、膨らみ３−９は血管および（または）リンパ管障害を矯正するために固有受容性、エステロ受容性（ｅｓｔｅｒｏｃｅｐｔｉｖｅ）、圧受容性および（または）反射発生性刺激を果たそうとする性向があり、この目的に対して、それらはエステロ受容体（ｅｓｔｅｒｏｃｅｐｔｏｒｓ）、固有受容体、圧受容体および（または）足裏のその他いずれかの反射発生箇所に配置される。表面、関節、および深在タイプのそのような固有受容体、エステロ受容体、圧受容体および反射発生箇所は概ね足裏の筋肉の着点において位置される。
【００２１】
特に、図に概略示されているように、第一の膨らみは足指の大指の回転筋に、第二の膨らみは大指の短い屈筋に、第三の膨らみは第五足指の短い屈筋に、第四の膨らみは第五足指の内転筋に、第五の膨らみは回外筋の楔に、第六の膨らみは回内筋の楔に、そして第七の膨らみは大指の内転筋に配置させることができる。
【００２２】
実施例の変形では、前述した７個の固有受容性箇所と関連して、あるいは関連せずに、足裏のエステロ受容性、圧受容性、および反射発生刺激のその他いずれかの箇所に対応する位置に配置した膨らみを提供することができることは勿論である。
【００２３】
特に別の好適実施例が図４に示されている。前記の図から判るように、前記膨らみは所謂レジャン（Ｌｅｊａｎ′ｓ）静脈足裏に属する足裏の領域に丁度配置されており、詳しくは丸い形状が好ましい第一の膨らみ１１が足指の集合静脈の接合部に配置され、第二の膨らみ１２が足の内側縁に沿って延在し、かつ内側の足底敷きの静脈叢の解剖学的座に配置されており、第三の膨らみ１３は静脈およびリンパ管の流れを内側静脈叢に向かって運ぶよう踵骨の領域上に、かつ足の側縁部において位置される。
【００２４】
図３Ａに示されているように、ここまで説明してきた実施例において、各膨らみ、例えば３で指示するものは、各々同等の形状および寸法であって、気胞を提供するために重ねられ、かつ結合されている第一の下層３０と第二の上層３１を含む。
【００２５】
第一の、約１ミリメートルの厚さの層３０は非中毒性で、概ね非アレルギ性のゴム材料であって、適度の長寿命性を有する材料からつくられている。ゴム材料としては、天然のもの、特にパラゴムすなわち生ゴムである材料が好ましい。当該技術分野の専門家には、同等の機械的特性を備えたいずれかのその他の非アレルギ性材料を利用しうることが認められうることは勿論である。特に、合成ゴム、例えばシリコンゴムが使用されうる。
【００２６】
これも薄い第二の層は手触りが柔らかで、足底との接触に適しており、特に手触りに対してセーム革あるいはビロードタイプの材料からつくられている。天然ものの織物、特にアルカンタラ（ａｌｃａｎｔａｒａ）が好ましい。変形実施例では足の水分蒸発および十分な接触快適さを保証するのに適した材料の織物あるいは巻き上げシートを使用できるようにする。
【００２７】
第一の層３０と第二の層３１とは、例えば膨らみの周囲において間に糊付けされて固定される。
【００２８】
気胞の周囲は該気胞自体をソックス２に固定するためにも使用することができるそれぞれの直線縫い目によって強化することができる。
【００２９】
本実施例において、各膨らみ３−９は更に、概ね非アレルギ性のゴム材料からつくられることが好ましい弾性の分離した粒体１０を充填する。刺激をより良好にするためには、そのような粒体１０は概ね不規則な形状で、かつ面および縁部を有することが好ましい。
【００３０】
前記粒体１０は、前記第一の層３０を構成するために使用されたパラゴムあるいは生ゴムのシートを小さい立方体に適度に切断することによって製造することができ、各々断面寸法が約１ミリメートルである。代替的に、不規則な形状で、厚さが約２ミリメートルである１粒のシリコン粒との１ミリメートル厚さの天然生ゴムの複合物、あるいはシリコン粒のみのものでさえも提供しうる。
【００３１】
当該技術分野の専門家は、交番的に、あるいは前記の分離した粒体１０と共に、気胞には結果的に扱い易く、そして気胞中へ挿入するのが簡単である例えばゲルのような材料のようないずれかの他のタイプの弾性材料を充填できることを理解する。
【００３２】
結果できた各膨らみ３−９の厚さは約３ミリメートルであることが好ましい。
【００３３】
各気胞はカニューレあるいは類似の装置によって充填できるように閉鎖しておくことができる開口を有しうる。
【００３４】
このように、前記膨らみ３−９は足裏に対して前述のように刺激を与えようとする全体的な弾性構造を有することが理解される。
【００３５】
特に、各膨らみの形状、厚み、および弾性は足裏の一般的な自己受容体、エステロ受容体、圧受容体および反射発生箇所に対して正確な反射療法ストレスを得るために選定することができる。特に、膨らみ３−９のそのようなパラメータは当該装置１を履く必要のある患者に関わる治療方向に基づいて選定される。更に、本発明による本装置１は各種のサイズで製造することが可能である。前記気胞は医療処方に基づいて、適当量の弾性粒体１０が充填されるまでは空のままとしうる。
【００３６】
同様に、ソックス２の圧縮強度さえも当該患者の特定の要件に合わせることもできる。この後者の局面に関しては、予防手段としての補助具では約１５から２５デニール（ｄｅｎ）の弾圧縮性ソックス、刺激性の弱い治療補助具では約３０から５０デニールの弾圧縮性ソックス、そして更に重症の静脈機能不全に対する治療補助具では約５０から７０デニールの弾圧縮性ソックスを提供することができる。
【００３７】
人の下肢に対して加えられる加圧器の作用に関しては、予防手段としての補助具には約２００ｍｍＨｇの軽めの圧縮を加えようとする弾圧縮性ソックスを、刺激性の弱い治療に対する補助具には約３０ｍｍＨｇに等しい中庸な圧縮を加えようとする弾圧縮性ソックスを、より重症の静脈機能不全のための治療補助具には約４０−５０ｍｍＨｇに等しい強力な圧縮を加えようとする弾圧縮性ソックスを具備させることができる。
【００３８】
このように構成された膨らみは患者に対して最適な反射療法のための刺激を提供することができることが認められる。特に、それらは歩行停止の間足の中間領域に対してより大きな厚み、従ってより強力な圧力を加えようとする。そのような刺激は長期間あるいは一生不変に保つことができる。
【００３９】
従って、当該技術分野の専門家は静脈の肥大および足裏静脈の押しつぶし（ｓｑｕａｓｈｉｎｇ）の少なさによる脚での血液およびリンパ液の循環速度の低減による静脈およびリンパ管の機能不全が存在するときに、本発明による装置は顕著な利益をもたらし、これは静脈の壁の肥大を制御しようとするソックス自体の断続した弾性と共にソックスに位置した弾性膨らみによって生じる機械的な押しつぶしが増大することによることを認識する。
【００４０】
更に、本装置１は特に磨耗することはなく、常に履き心地がよい。更に、洗濯が可能であり、使用することも保守することも容易である。
【００４１】
それが作られている材質は足裏の非アレルギ性および非有毒性を保証する。
【００４２】
本装置はこれまで説明したものに対する代案として数種の実施例も可能であることは勿論である。例えば、膨らみを単に１個とすることが可能である。更に、膨らみはソックスの織物の連続した延長部分として直接つくることができ、その場合前述した二重層構造を有する代わりに充填材を受け入れるために局所的により厚くすることができる。更に、ソックスは前記の膨らみを有する実際の足底敷きを組み込むことができる。
【００４３】
図２はソックスがシャンクソックス（ｓｈａｎｋ  ｓｏｃｋ）あるいは男性用の短靴下である、本発明の別の実施例を示す。
【００４４】
好適実施例を参照しながら本発明をここまで説明してきた。本発明と同じ発明概念に属するその他の実施例も存在しうるが、それらは全て特許請求の範囲に記載の保護範囲内に含まれることが意図されている。
【図面の簡単な説明】
【００４５】
【図１】人が履いたときの本発明による装置の第一の実施例の斜視図を示す。
【図２】人が履いたときの本発明による装置の第二の実施例の斜視図を示す。
【図３】図１または図２に示す装置の部分的な上面図を示す。
【図３Ａ】図３の線Ａ−Ａに沿って見た前記装置の断面図を示す。
【図４】本発明による装置の別の実施例の部分的な上面図を示す。
【手続補正書】
【提出日】平成19年5月23日(2007.5.23)
【手続補正１】
【補正対象書類名】特許請求の範囲
【補正対象項目名】全文
【補正方法】変更
【補正の内容】
【特許請求の範囲】
【請求項１】
下肢の静脈および（または）リンパ管の機能不全を治療あるいは防止するために歩行停止の間履くようにされる装置において、
―  下肢の静脈および（または）リンパ管の機能不全のための弾圧縮性ソックスを含み、
更に、前記装置が
―  静脈およびリンパ管の循環を刺激しようとする弾性膨らみであって、該膨らみが前記ソックスに固定され、前記ソックス自体が足裏自体の選定された反射発生領域において履かれたとき足裏と接触するようになる部分に配置された少なくとも１個の弾性膨らみを含むことを特徴とする装置。
【請求項２】
前記弾圧縮性ソックスが一足のタイツであることを特徴とする請求項１に記載の装置。
【請求項３】
前記弾圧縮性ソックスがショートソックスであることを特徴とする請求項１に記載の装置。
【請求項４】
前記弾圧縮性ソックスがシャンクソックスであることを特徴とする請求項１に記載の装置。
【請求項５】
前記弾圧縮性ソックスが女性用ストッキングであることを特徴とする請求項１に記載の装置。
【請求項６】
前記足裏の反射発生領域が、大足指の内転筋、大足指の短屈筋、第五足指の短屈筋、第五足指の内転筋、回外筋楔、回内筋楔、および大足指の内転筋からなる群において選定されることを特徴とする請求項１に記載の装置。
【請求項７】
前記膨らみが足裏のレジャン（Ｌｅｊａｎ′ｓ）静脈足裏に配置されていることを特徴とする請求項１に記載の装置。
【請求項８】
前記膨らみが、足指の集合静脈の結合部、中間足裏静脈叢の解剖学的座および足の側縁部における踵骨領域からなる群から選定された領域に配置されていることを特徴とする請求項１から９までのいずれか１項に記載の装置。
【請求項９】
前記膨らみが足裏と接触するようになる下層と上層とを有し、前記層の間に充填材料が介装されているか、あるいは介装することができることを特徴とする請求項１に記載の装置。
【請求項１０】
前記の下層がゴム製であることを特徴とする請求項９に記載の装置。
【請求項１１】
前記上層がアルカンタラ（ａｌｃａｎｔａｒａ）からつくられていることを特徴とする請求項９または１０に記載の装置。
【請求項１２】
前記充填材料が弾性の分離した粒体によって形成されていることを特徴とする請求項９に記載の装置。
【請求項１３】
前記粒体が概ね丸い形状を有していることを特徴とする請求項１２に記載の装置。
【請求項１４】
前記粒体が生ゴムからつくられた粒体からなることを特徴とする請求項１１に記載の装置。
【請求項１５】
前記粒体がシリコン粒からなることを特徴とする請求項１１に記載の装置。
【請求項１６】
前記ソックスが前記膨らみを有する足底敷きを組み込んでいることを特徴とする請求項１に記載の装置。
【請求項１７】
前記ソックスが約１５から２５デニールの間に入る厚さを有していることを特徴とする請求項１に記載の装置。
【請求項１８】
前記ソックスが約３０から５０デニールの間に入る厚さを有していることを特徴とする請求項１に記載の装置。
【請求項１９】
前記ソックスが約５０から７０デニールの間に入る厚さを有していることを特徴とする請求項１に記載の装置。
【手続補正２】
【補正対象書類名】明細書
【補正対象項目名】全文
【補正方法】変更
【補正の内容】
【発明の詳細な説明】
【技術分野】
【０００１】
本発明は下肢の静脈および（または）リンパ管の機能不全を治療あるいは防止するための装置に関するものである。
【背景技術】
【０００２】
当該技術分野の専門家には周知のように、人間は足裏においてレジャンの静脈足裏（Ｌｅｊａｎ′ｓ  ｖｅｎｏｕｓ  ｓｏｌｅ）と称される構造を有している。これは基礎物質であるコンドロイチン硫酸とジャルロニック（ｊａｌｕｒｏｎｉｃ）酸富有の弛緩脂肪質組織において含まれた毛細血管がからまり合ったものであって、これらの毛細血管は歩行の止まっている間押しつぶされ、血液で充たされたスポンジの如くに単純な機械的な押しつぶし作用によって絞り出され、心臓に向かって上昇する向心性の押上げ力を血液に対して加える。
【０００３】
前述した静脈の戻り、およびまたリンパ管の戻りの欠陥の可能性を矯正あるいは防止するために、靴の内部に挿入可能であり、反射発生（ｒｅｆｌｅｘｏｇｅｎｉｃ）のために足裏の選定した部分を刺激することを目的とした種々タイプの足底敷き（ｐｌａｎｔａｒｓ）が知られている。
【０００４】
しかしながら、既知の足底敷きは滑りやすく、特に女性のストッキングあるいはショートソックスと一緒に履いた場合、足裏に対して動く嫌いがある。このことによって足に対する足底敷き自体の正しくない位置決めを行い、その結果その効果を低下させる。
【０００５】
また、前述の欠点のため、足底敷きによって得られうる治療結果は特に、人の下肢に対して悪影響を及ぼしうる各種の血管およびリンパ管の病理に関して極めて限定的なものとなる可能性がある。
【０００６】
足底敷きとは相違する装置が米国特許第６，５５１，２８０号に記載されており、該特許においては空気／真空源と連通している区画室を有する装置によって間欠的な圧力が足底敷きに加えられる。
【０００７】
そのような血管および（または）リンパ管の病理を治療および防止するべく、静脈およびリンパ管の戻りを促進するための構造を有する所謂弾圧縮性のソックスが使用されることが多い。しかしながら、そのようなソックスによって得られうる結果も治療可能な病理に関する限り限定的であり、かつ不完全であることが多い。
【０００８】
この点に関して、米国特許第４，８１１，７２７号は踝の後方窩中に充填される２個のパッドと局所的な支持のための踵片（ヒールピース）をまた組み込んでいる保持用の支持ストッキングを開示している。
【発明の開示】
【発明が解決しようとする課題】
【０００９】
従って、本発明によって設定され、かつ解決される技術的課題は既知の技術に関して前述した欠点を排除できる、下肢における静脈および（または）リンパ管の機能不全を防止あるいは治療するための装置を提供することである。
【課題を解決するための手段】
【００１０】
そのような課題は特許請求の範囲の請求項１に記載の装置によって解決される。
【００１１】
本発明の好適な特徴は特許請求の範囲の従属項に含まれている。
【００１２】
本説明において、「ソックス」という用語は、足の一部分あるいは全体を、ある場合には人の下肢の一部分あるいは全体を被覆するようにされた一片の衣類、特にストッキング、タイツ、および男性用短靴下、シャンクソックス（レッグウオーマ）などを含む最広義に解されるべきである。
【００１３】
本発明はある重要な利点を提供する。主要な利点は弾圧縮性のソックスの構造とその中に組み込まれた膨らみとの間の相乗効果によって、人の治療に大いに役立ち、かつより効果的な方法で血管および（または）リンパ管の病理を防止あるいは治療できるようにする組み合わされた治療結果を得ることができるようにすることにある。更に、足に対するそれらの正しい位置に対して前記の膨らみが動きうるという危険性が排除される。
【００１４】
本発明のその他の利点、特徴および適用については、限定的な目的ではなく、例として示された本発明の若干の実施例についての以下の詳細説明から明らかとなる。添付図面にある図を以下参照する。
【００１５】
図１を参照すれば、本発明の一実施例による下肢の静脈および（または）リンパ管の機能不全を防止あるいは治療する装置が全体的に１で指示されている。
【００１６】
前記装置１は人の足裏にソックス２が接着しようとさせ、前記部分に固定された構造を有する弾圧縮性ソックス２を含む。前記膨らみ３−９は下肢の静脈および（または）リンパ管の循環を、そして特に静脈および（または）リンパ管の戻りを刺激しようとする。
【００１７】
前記膨らみ３−９は図に実際に示すように足裏の反射発生部分に配置されていることが好ましい。
【００１８】
当該技術分野の専門家には既知のように、足底敷きによる足裏反射治療法は足底敷きの足の土踏まず部を支持するために所謂内在筋肉の着点に概ね対応する足裏の所定箇所を刺激することからなり、それによって治療目的で人体の一般的な生理機能、特に静脈およびリンパ管の戻りに影響を与えることができる。
【００１９】
一般に、膨らみ３−９は血管および（または）リンパ管障害を矯正するために固有受容性、エステロ受容性（ｅｓｔｅｒｏｃｅｐｔｉｖｅ）、圧受容性および（または）反射発生性刺激を果たそうとする性向があり、この目的に対して、それらはエステロ受容体（ｅｓｔｅｒｏｃｅｐｔｏｒｓ）、固有受容体、圧受容体および（または）足裏のその他いずれかの反射発生箇所に配置される。表面、関節、および深在タイプのそのような固有受容体、エステロ受容体、圧受容体および反射発生箇所は概ね足裏の筋肉の着点において位置される。
【００２０】
特に、図に概略示されているように、第一の膨らみは足指の大指の回転筋に、第二の膨らみは大指の短い屈筋に、第三の膨らみは第五足指の短い屈筋に、第四の膨らみは第五足指の内転筋に、第五の膨らみは回外筋の楔に、第六の膨らみは回内筋の楔に、そして第七の膨らみは大指の内転筋に配置させることができる。
【００２１】
実施例の変形では、前述した７個の固有受容性箇所と関連して、あるいは関連せずに、足裏のエステロ受容性、圧受容性、および反射発生刺激のその他いずれかの箇所に対応する位置に配置した膨らみを提供することができることは勿論である。
【００２２】
特に別の好適実施例が図４に示されている。前記の図から判るように、前記膨らみは所謂レジャン（Ｌｅｊａｎ′ｓ）静脈足裏に属する足裏の領域に丁度配置されており、詳しくは丸い形状が好ましい第一の膨らみ１１が足指の集合静脈の接合部に配置され、第二の膨らみ１２が足の内側縁に沿って延在し、かつ内側の足底敷きの静脈叢の解剖学的座に配置されており、第三の膨らみ１３は静脈およびリンパ管の流れを内側静脈叢に向かって運ぶよう踵骨の領域上に、かつ足の側縁部において位置される。
【００２３】
図４はその内容について前述の節において明白に記載されているものを示す限りにおいてのみ本特許出願の一部を形成する。
【００２４】
図３Ａに示されているように、ここまで説明してきた実施例において、各膨らみ、例えば３で指示するものは、第一の下層３０と中間の足底敷きの静脈叢の解剖学的座に配置された第二の層を含み、第三の膨らみ１３が静脈およびリンパ管の流れを中間静脈叢に向かって運ぶために踵骨の領域上に、かつ側縁部において位置されている。
【００２５】
図３Ａに示されているように、これまで説明してきた実施例において、各膨らみ、例えば３で指示するものは第一の層３０と同等の形状および寸法であって、気胞を提供するために重ねられ、かつ結合されている第二の上層３１を含む。
【００２６】
第一の、約１ミリメートルの厚さの層３０は非中毒性で、概ね非アレルギ性のゴム材料であって、適度の長寿命性を有する材料からつくられている。ゴム材料としては、天然のもの、特にパラゴムすなわち生ゴムである材料が好ましい。当該技術分野の専門家には、同等の機械的特性を備えたいずれかのその他の非アレルギ性材料を利用しうることが認められうることは勿論である。特に、合成ゴム、例えばシリコンゴムが使用されうる。
【００２７】
これも薄い第二の層は手触りが柔らかで、足底との接触に適しており、特に手触りに対してセーム革あるいはビロードタイプの材料からつくられている。天然ものの織物、特にアルカンタラ（ａｌｃａｎｔａｒａ）が好ましい。変形実施例では足の水分蒸発および十分な接触快適さを保証するのに適した材料の織物あるいは巻き上げシートを使用できるようにする。
【００２８】
第一の層３０と第二の層３１とは、例えば膨らみの周囲において間に糊付けされて固定される。
【００２９】
気胞の周囲は該気胞自体をソックス２に固定するためにも使用することができるそれぞれの直線縫い目によって強化することができる。
【００３０】
本実施例において、各膨らみ３−９は更に、概ね非アレルギ性のゴム材料からつくられることが好ましい弾性の分離した粒体１０を充填する。刺激をより良好にするためには、そのような粒体１０は概ね不規則な形状で、かつ面および縁部を有することが好ましい。
【００３１】
前記粒体１０は、前記第一の層３０を構成するために使用されたパラゴムあるいは生ゴムのシートを小さい立方体に適度に切断することによって製造することができ、各々断面寸法が約１ミリメートルである。代替的に、不規則な形状で、厚さが約２ミリメートルである１粒のシリコン粒との１ミリメートル厚さの天然生ゴムの複合物、あるいはシリコン粒のみのものでさえも提供しうる。
【００３２】
当該技術分野の専門家は、交番的に、あるいは前記の分離した粒体１０と共に、気胞には結果的に扱い易く、そして気胞中へ挿入するのが簡単である例えばゲルのような材料のようないずれかの他のタイプの弾性材料を充填できることを理解する。
【００３３】
結果できた各膨らみ３−９の厚さは約３ミリメートルであることが好ましい。
【００３４】
各気胞はカニューレあるいは類似の装置によって充填できるように閉鎖しておくことができる開口を有しうる。
【００３５】
このように、前記膨らみ３−９は足裏に対して前述のように刺激を与えようとする全体的な弾性構造を有することが理解される。
【００３６】
特に、各膨らみの形状、厚み、および弾性は足裏の一般的な自己受容体、エステロ受容体、圧受容体および反射発生箇所に対して正確な反射療法ストレスを得るために選定することができる。特に、膨らみ３−９のそのようなパラメータは当該装置１を履く必要のある患者に関わる治療方向に基づいて選定される。更に、本発明による本装置１は各種のサイズで製造することが可能である。前記気胞は医療処方に基づいて、適当量の弾性粒体１０が充填されるまでは空のままとしうる。
【００３７】
同様に、ソックス２の圧縮強度さえも当該患者の特定の要件に合わせることもできる。この後者の局面に関しては、予防手段としての補助具では約１５から２５デニール（ｄｅｎ）の弾圧縮性ソックス、刺激性の弱い治療補助具では約３０から５０デニールの弾圧縮性ソックス、そして更に重症の静脈機能不全に対する治療補助具では約５０から７０デニールの弾圧縮性ソックスを提供することができる。
【００３８】
人の下肢に対して加えられる加圧器の作用に関しては、予防手段としての補助具には約２００ｍｍＨｇの軽めの圧縮を加えようとする弾圧縮性ソックスを、刺激性の弱い治療に対する補助具には約３０ｍｍＨｇに等しい中庸な圧縮を加えようとする弾圧縮性ソックスを、より重症の静脈機能不全のための治療補助具には約４０−５０ｍｍＨｇに等しい強力な圧縮を加えようとする弾圧縮性ソックスを具備させることができる。
【００３９】
このように構成された膨らみは患者に対して最適な反射療法のための刺激を提供することができることが認められる。特に、それらは歩行停止の間足の中間領域に対してより大きな厚み、従ってより強力な圧力を加えようとする。そのような刺激は長期間あるいは一生不変に保つことができる。
【００４０】
従って、当該技術分野の専門家は静脈の肥大および足裏静脈の押しつぶし（ｓｑｕａｓｈｉｎｇ）の少なさによる脚での血液およびリンパ液の循環速度の低減による静脈およびリンパ管の機能不全が存在するときに、本発明による装置は顕著な利益をもたらし、これは静脈の壁の肥大を制御しようとするソックス自体の断続した弾性と共にソックスに位置した弾性膨らみによって生じる機械的な押しつぶしが増大することによることを認識する。
【００４１】
更に、本装置１は特に磨耗することはなく、常に履き心地がよい。更に、洗濯が可能であり、使用することも保守することも容易である。
【００４２】
それが作られている材質は足裏の非アレルギ性および非有毒性を保証する。
【００４３】
本装置はこれまで説明したものに対する代案として数種の実施例も可能であることは勿論である。例えば、膨らみを単に１個とすることが可能である。更に、膨らみはソックスの織物の連続した延長部分として直接つくることができ、その場合前述した二重層構造を有する代わりに充填材を受け入れるために局所的により厚くすることができる。更に、ソックスは前記の膨らみを有する実際の足底敷きを組み込むことができる。
【００４４】
図２はソックスがシャンクソックス（ｓｈａｎｋ  ｓｏｃｋ）あるいは男性用の短靴下である、本発明の別の実施例を示す。
【００４５】
好適実施例を参照しながら本発明をここまで説明してきた。本発明と同じ発明概念に属するその他の実施例も存在しうるが、それらは全て特許請求の範囲に記載の保護範囲内に含まれることが意図されている。
【図面の簡単な説明】
【００４６】
【図１】人が履いたときの本発明による装置の第一の実施例の斜視図を示す。
【図２】人が履いたときの本発明による装置の第二の実施例の斜視図を示す。
【図３】図１または図２に示す装置の部分的な上面図を示す。
【図３Ａ】図３の線Ａ−Ａに沿って見た前記装置の断面図を示す。
【図４】本発明による装置の別の実施例の部分的な上面図を示す。
【手続補正３】
【補正対象書類名】図面
【補正対象項目名】図４
【補正方法】追加
【補正の内容】
【図４】
2008513088.tif 000007
【国際調査報告】
2008513088.tif 000008
2008513088.tif 000009
2008513088.tif 000010